(57)【要約】【課題】ノイズや不要輻射を抑えることができ、テレビ等の薄型化を妨げることがなく、ケーブル保持部品を使用しないでフレキシブルケーブルを保持、固定することができる配線構造を提供する。【解決手段】板金５にサブ基板４を浮かせた状態で支持させ、板金５をメイン基板３の上に隙間をあけて固定し、メイン基板３とサブ基板４を接続する電源ラインのフレキシブルケーブル７と信号ラインのフレキシブルケーブル８を交差させて引回し、双方のフレキシブルケーブル７，８の交差部分７ａ，８ａに板金５の一部を挟み込んだ配線構造とする。双方のフレキシブルケーブルの交差部分７ａ，８ａを板金５の一部でシールドしてノイズを抑え、交差部分７ａ，８ａの間隔を板金５の厚さに保って薄型化を妨げないようにする。板金５に形成した開口部５ｃ，５ｃ，５ｄ，５ｄにフレキシブルケーブル７，８を通して保持させる。【選択図】図２
2009044503.tif 000002
【特許請求の範囲】
【請求項１】
板金にサブ基板を浮かせた状態で支持させ、この板金をメイン基板の上に隙間をあけて固定し、メイン基板とサブ基板を接続する電源ラインのフレキシブルケーブルと信号ラインのフレキシブルケーブルを交差させて引回した配線構造において、上記電源ラインのフレキシブルケーブルと上記信号ラインのフレキシブルケーブルとの交差部分に上記板金の一部を挟み込んだことを特徴とする配線構造。
【請求項２】
上記板金に、対向する位置関係にある一組の開口部と、この開口部の対向方向と交差する方向に対向する位置関係にある他の一組の開口部を形成し、一組の開口部と他の一組の開口部に上記電源ラインのフレキシブルケーブルと上記信号ラインのフレキシブルケーブルを挿通して、双方のフレキシブルケーブルの交差部分に上記板金の一部を挟み込んだことを特徴とする請求項１に記載の配線構造。
【請求項３】
上記電源ラインのフレキシブルケーブルの交差部分が上記板金の上側となるように、且つ、上記信号ラインのフレキシブルケーブルの交差部分が上記板金の下側となるように、双方のフレキシブルケーブルを上記一組の開口部と上記他の一組の開口部に挿通し、双方のフレキシブルケーブルの交差部分に上記板金の一部を挟み込んだことを特徴とする請求項２に記載の配線構造。
【請求項４】
上記開口部に、双方のフレキシブルケーブルを固定するケーブル固定片を形成したことを特徴とする請求項２又は請求項３に記載の配線構造。
【請求項５】
上記メイン基板がデジタルテレビモジュール付きのテレビに組み込まれたアナログ基板であり、上記サブ基板が上記板金に支持されてアナログ基板の上に取付けられたデジタルテレビモジュール基板であることを特徴とする請求項１ないし請求項４のいずれかに記載の配線構造。
【発明の詳細な説明】
【技術分野】
【０００１】
本発明は、メイン基板とサブ基板を接続する電源ラインのフレキシブルケーブルと信号ラインのフレキシブルケーブルを交差させて引き回す配線構造の改良に関する。
【背景技術】
【０００２】
カードを挿入してスクランブルを解除するデジタルテレビモジュール（以下、ＤＴＶモジュールと記す）の付いた薄型のテレビ等においては、その内部にメインのアナログ基板を設け、このメイン基板の上にサブのＤＴＶモジュール基板を板金に支持させて取付けている。このようにメイン基板の上にサブ基板を取付けた薄型テレビ等は、双方の基板を接続する電源ラインのフレキシブルケーブルと信号ラインのフレキシブルケーブルを交差させて引き回す配線構造を採用する場合が多い。
【０００３】
一方、フレキシブルフラットケーブルとチューナーとの間にスペーサを介在させて両者を一定の距離以上に保ち、相互間のノイズの侵入を防止するようにした携帯テレビジョン受像機が提案されている（特許文献１）。
【０００４】
また、チューナーユニットとリニアユニット及びシャーシユニットを一つのフレキシブルケーブルで接続し、電源回路ユニットと表示ユニット及びリニアユニットを他の一つのフレキシブルケーブルで接続するようにしたポケッタブルテレビジョン受像機（特許文献２）や、シャーシを独立した複数のシャーシとして構成し、回路基板を複数のブロック基板に分割して複数のシャーシにそれぞれ取付けることによって、熱膨張率差で生じる位置関係の変化に起因するフレキシブルケーブルへの負担を軽減させるようにしたフラット表示装置（特許文献３）も提案されている。
【特許文献１】特開２０００−１７５１２７号公報
【特許文献２】特開昭６２−１０９７６号公報
【特許文献３】特開２００６−１９５１７７号公報
【発明の開示】
【発明が解決しようとする課題】
【０００５】
しかしながら、上記のようにメイン基板とサブ基板を接続する電源ラインのフレキシブルケーブルと信号ラインのフレキシブルケーブルを交差させて引き回す配線構造では、電源ラインのフレキシブルケーブルから信号ラインのフレキシブルケーブルへの誘起が生じ、ノイズが入って信号が劣化するという問題があり、電源ラインのフレキシブルケーブルからの不要輻射も抑えられないという問題があった。
【０００６】
また、上記の配線構造では、ケーブル保持部品を用いて双方のフレキシブルケーブルを保持、固定することが必要となるため、部品点数や組立工数が増加し、製造コストの増大を招くという問題もあった。
【０００７】
上記の問題は、特許文献２，３の技術によって解決されるものではないが、そのうちノイズの問題については、特許文献１におけるノイズ防止技術を応用して双方のフレキシブルケーブルの交差部分にスペーサを介在させ、交差部分の間隔を一定以上に保つようにすると、一応、解決することは可能となる。しかしながら、双方のフレキシブルケーブルの交差部分を一定以上の間隔に保っても、交差部分がシールドされるわけではないので、ノイズ防止効果は充分と言い難く、かと言って交差部分の間隔を大きく広げると、テレビの薄型化の妨げになるという問題があり、また、スペーサを用いるので、部品点数が増え、コストの増加を招くという問題もある。
【０００８】
本発明は上記事情の下になされたもので、その解決しようとする課題は、ノイズや不要輻射を抑えることができ、テレビ等の薄型化を妨げることがなく、ケーブル保持部品を使用しないでフレキシブルケーブルを保持、固定することができる配線構造を提供することにある。
【課題を解決するための手段】
【０００９】
上記課題を解決するため、本発明に係る配線構造は、板金にサブ基板を浮かせた状態で支持させ、この板金をメイン基板の上に隙間をあけて固定し、メイン基板とサブ基板を接続する電源ラインのフレキシブルケーブルと信号ラインのフレキシブルケーブルを交差させて引回した配線構造において、上記電源ラインのフレキシブルケーブルと上記信号ラインのフレキシブルケーブルとの交差部分に上記板金の一部を挟み込んだことを特徴とするものである。
【００１０】
本発明の配線構造においては、上記板金に、対向する位置関係にある一組の開口部と、この開口部の対向方向と交差する方向に対向する位置関係にある他の一組の開口部を形成し、一組の開口部と他の一組の開口部に上記電源ラインのフレキシブルケーブルと上記信号ラインのフレキシブルケーブルを挿通して、双方のフレキシブルケーブルの交差部分に上記板金の一部を挟み込むことが好ましい。
【００１１】
そして、上記電源ラインのフレキシブルケーブルの交差部分が上記板金の上側となるように、且つ、上記信号ラインのフレキシブルケーブルの交差部分が上記板金の下側となるように、双方のフレキシブルケーブルを上記一組の開口部と上記他の一組の開口部に挿通し、双方のフレキシブルケーブルの交差部分に上記板金の一部を挟み込むことが更に好ましい。
【００１２】
また、上記開口部に、双方のフレキシブルケーブルを固定するケーブル固定片を形成することも好ましい。
【００１３】
本発明の配線構造が採用される電子機器の代表例は、ＤＴＶモジュール付きの薄型テレビであるから、上記メイン基板の好ましい具体例は、薄型テレビに組み込まれたアナログ基板であり、上記サブ基板の好ましい具体例は、上記板金に支持されてアナログ基板の上に取付けられたＤＴＶモジュール基板である。
【発明の効果】
【００１４】
本発明の配線構造のように、電源ラインのフレキシブルケーブルと信号ラインのフレキシブルケーブルとの交差部分に、サブ基板を支持する板金の一部が挟み込まれていると、この板金の一部によって双方のフレキシブルケーブルの交差部分がシールドされるため、電源ラインのフレキシブルケーブルから信号ラインのフレキシブルケーブルへの誘起が抑えられ、ノイズによる信号の劣化が殆ど生じなくなる。しかも、サブ基板を支持する板金の一部をシールド板として利用しているため、別途シールド部品を使用することが不要となり、コストの増加を抑えることができる。また、双方のフレキシブルケーブルの交差部分の間に板金の一部が挟み込まれるだけであるため、スペーサで双方の交差部分の間隔を大きく広げる場合のようにテレビの薄型化を妨げる心配は生じない。
【００１５】
そして、上記板金に、対向する位置関係にある一組の開口部と、この開口部の対向方向と交差する方向に対向する位置関係にある他の一組の開口部を形成し、一組の開口部と他の一組の開口部に電源ラインのフレキシブルケーブルと信号ラインのフレキシブルケーブルを挿通して、双方のフレキシブルケーブルの交差部分に板金の一部を挟み込んだ配線構造では、双方のフレキシブルケーブルがこれらの開口部に保持されることになるため、別途ケーブル保持部品を用いて双方のフレキシブルケーブルを保持する必要がなくなり、コストの増加を抑えることができる。
【００１６】
更に、電源ラインのフレキシブルケーブルの交差部分が板金の上側となるように、且つ、信号ラインのフレキシブルケーブルの交差部分が板金の下側となるように、双方のフレキシブルケーブルを一組の開口部と他の一組の開口部に挿通し、双方のフレキシブルケーブルの交差部分に板金の一部を挟み込んだ配線構造では、電源ラインのフレキシブルケーブルが交差部分を除いて板金の下側に引き回されることになるため、電源ラインのフレキシブルケーブルからの不要輻射を抑えることができる。
【００１７】
また、板金の上記開口部にケーブル固定片を形成したものは、ケーブル固定片によって確実にフレキシブルケーブルを固定することができる。
【発明を実施するための最良の形態】
【００１８】
以下、図面を参照して本発明の具体的な実施形態を詳述する。
【００１９】
図１は本発明の配線構造を採用したＤＴＶモジュール付きの薄型テレビの概略説明図、図２はＤＴＶモジュール基板を省略した本発明の一実施形態に係る配線構造を示す平面図、図３は同配線構造における板金の部分拡大断面図、図４は同配線構造の概略説明図である。
【００２０】
本発明の配線構造は、例えば図１に示すようなＤＴＶモジュール付きの薄型テレビに好ましく採用されるものであって、このＤＴＶモジュール付きの薄型テレビは、フロントキャビネット１の前面開口部に液晶モジュール２が取付けられており、この液晶モジュール２の背面にメイン基板３としてアナログ基板が一定の間隔をあけて固定されている。そして、このメイン基板３の上（背面側）に、サブ基板４としてＤＴＶモジュール基板が板金５に支持されて取付けられている。
【００２１】
もう少し詳しく説明すると、このサブ基板（ＤＴＶモジュール基板）４は、図４，図２に示すように、方形の板金５の四隅に形成された支持片５ａに支持されて板金５から浮いた状態でビス止めされており、その上から不要輻射を抑える板金の蓋６が被せられている。そして、この板金５は、５箇所の脚片５ｂをメイン基板３にビス止めして、メイン基板３のコーナー部の上に隙間をあけて固定されている。
【００２２】
上記の板金５には、図２，図３に示すように、対向する位置関係ある一組の矩形開口部５ｃ，５ｃと、この開口部５ｃ，５ｃの対向方向と直角に交差する方向に対向する位置関係にある他の一組の矩形開口部５ｄ，５ｄが形成されており、これらの矩形開口部５ｃ，５ｃ，５ｄ，５ｄには、切出しによってケーブル固定片５ｅが形成されている。このケーブル固定片５ｅは、後述するようにフレキシブルケーブル７，８を矩形開口部５ｃ，５ｃ，５ｄ，５ｄに挿通するときに撓み、挿通されたフレキシブルケーブル７，８を押圧して、その摩擦力でフレキシブルケーブル７，８を固定するものである。
【００２３】
図２に示すように、電源ラインのフラットなフレキシブルケーブル７は、信号ラインのフレキシブルケーブル８と直角に交差する交差部分７ａが板金５の上側となるように、一組の矩形開口部５ｃ，５ｃに挿通されて板金５の下側に引き回されており、その両端のコネクタ部７ｂ，７ｃがメイン基板（アナログ基板）３とサブ基板（ＤＴＶモジュール基板）４にそれぞれ接続されるようになっている。
【００２４】
これに対し、信号ラインのフラットなフレキシブルケーブル８は、電源ラインのフレキシブルケーブル７と直角に交差する交差部分８ａが板金５の下側となるように、他の一組の矩形開口部５ｄ，５ｄに挿通されて板金５の上側に引き回されており、その両端のコネクタ部８ｂ，８ｃがメイン基板３とサブ基板４にそれぞれ接続されるようなっている。
【００２５】
上記のように、電源ラインのフレキシブルケーブル７と信号ラインのフレキシブルケーブル８を交差させ、電源ラインのフレキシブルケーブル７の交差部分７ａが板金の上側となるように、且つ、信号ラインのフレキシブルケーブル８の交差部分８ａが板金５の下側となるように、双方のフレキシブルケーブル７，８を矩形開口部５ｃ，５ｃ，５ｄ，５ｄに挿通して引き回すと、双方のフレキシブルケーブル７，８の交差部分７ａ，８ａの間に、板金５の一部、即ち、４つの矩形開口部５ｃ，５ｃ，５ｄ，５ｄによって囲まれる部分が挟み込まれた構造となる。
【００２６】
この配線構造は、上記のように双方のフレキシブルケーブル７，８の交差部分７ａ，８ａの間に挟み込まれた板金５の一部によって双方の交差部分７ａ，８ａがシールドされるため、電源ラインのフレキシブルケーブル７から信号ラインのフレキシブルケーブル８への誘起が抑えられ、ノイズによる信号の劣化が殆ど生じなくなる。そして、電源ラインのフレキシブルケーブル７が、その交差部分７ａを除いて板金５の下側に引き回されているので、不要輻射を充分抑えることもできる。また、双方のフレキシブルケーブルの交差部分の間に板金の一部が挟み込まれるだけであるから、スペーサで双方の交差部分の間隔を大きく広げる場合のようにテレビの薄型化を妨げる心配は生じない。
【００２７】
また、この配線構造のように、板金５の一部をシールド板として利用すると、別途シールド部品を用いてフレキシブルケーブル７，８の交差部分７ａ，８ａをシールドすることが不要となるので、コストの増加を抑えることができる。しかも、この配線構造のように、双方のフレキシブルケーブル７，８を矩形開口部５ｃ，５ｃ，５ｄ，５ｄに挿通して引き回すと、双方のフレキシブルケーブル７，８がこれらの矩形開口部によって保持されるため、別途ケーブル保持部品を用いてフレキシブルケーブル７，８を保持することが不要となり、コストの増加を更に抑えることができる。特に、この実施形態のようにケーブル固定片５ｅが矩形開口部５ｃ，５ｃ，５ｄ，５ｄに形成されていると、矩形開口部に挿通されたフレキシブルケーブル７，８が、撓んだケーブル固定片５ｅによって押圧され、その摩擦力で確実に保持、固定される利点がある。
【００２８】
尚、双方のフレキシブルケーブル７，８の引き回しを上下逆転させ、電源ラインのフレキシブルケーブル７の交差部分７ａが板金５の下側となるように該フレキシブルケーブル７を板金５の上側に引き回し、信号ラインのフレキシブルケーブル８の交差部分が板金５の上側となるように該フレキシブルケーブル８を板金の下側に引き回すことも可能であるが、その場合は不要輻射の抑制が難しくなるので好ましくない。
【図面の簡単な説明】
【００２９】
【図１】本発明の配線構造を採用したＤＴＶモジュール付きの薄型テレビの概略説明図である。
【図２】ＤＴＶモジュール基板を省略した本発明の一実施形態に係る配線構造を示す平面図である。
【図３】同配線構造における板金の部分拡大断面図である。
【図４】同配線構造の概略説明図である。
【符号の説明】
【００３０】
３    メイン基板（アナログ基板）
４    サブ基板（ＤＴＶモジュール基板）
５    板金
５ａ  支持片
５ｂ  脚片
５ｃ，５ｃ  一組の開口部
５ｄ，５ｄ  他の一組の開口部
５ｅ  ケーブル固定片
７    電源ラインのフレキシブルケーブル
８    信号ラインのフレキシブルケーブル
【図１】
2009044503.tif 000003
【図２】
2009044503.tif 000004
【図３】
2009044503.tif 000005
【図４】
2009044503.tif 000006